【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
圧電体部を含んで構成される振動子本体と、該振動子本体の対向する２面のそれぞれに少なくとも１つ設けられた駆動接触部とをそれぞれ有する２つの振動子と、
前記２つの振動子を、前記駆動接触部を介して狭持する２つの規制部材と、
該２つの規制部材の一方を他方に向けて付勢し、前記２つの規制部材と前記駆動接触部との間で押圧力を発生させる押圧手段と、
を備え、
前記振動子本体への電圧印加により発生する振動を前記駆動接触部が駆動力に変換することにより、前記２つの振動子と前記２つの規制部材とが相対的に移動することを特徴とする振動波リニアモータ。
【請求項２】
前記振動子各々は、前記駆動接触部を３個有することを特徴とする請求項１に記載の振動波リニアモータ。
【請求項３】
前記振動子の前記３つの駆動接触部のうち１つのみが設けられている側の駆動接触部は前記２つの振動子ともに前記２つの規制部材のうちの同じ規制部材に接触するように構成されていることを特徴とする請求項２に記載の振動波リニアモータ。
【請求項４】
前記一方の規制部材を固定して保持すると共に、前記他方の規制部材を前記押圧手段により押圧される方向に移動可能に保持する保持部材をさらに有することを特徴とする請求項３に記載の振動波リニアモータ。
【請求項５】
前記振動子の前記３つの駆動接触部のうち１つのみが設けられている側の駆動接触部は前記２つの振動子ともに前記２つの規制部材のうちの前記保持部材に固定して保持されている前記規制手段に接触するように構成されていることを特徴とする請求項４に記載の振動波リニアモータ。
【請求項６】
前記振動子の前記３つの駆動接触部のうち１つのみが設けられている側の駆動接触部は前記２つの振動子ともに前記２つの規制部材のうちの前記保持部材により前記押圧方向に移動可能に保持されている規制手段に接触するように構成されていることを特徴とする請求項４に記載の振動波リニアモータ。
【請求項７】
少なくとも１つの前記振動子の移動範囲を制限するストッパを有することを特徴とする請求項１または４に記載の振動波リニアモータ。
【請求項８】
前記ストッパは、前記保持部材により前記押圧方向に移動可能に保持されている規制手段の押圧力の均衡位置を中心にして分割される２つの範囲に前記２つの振動子の移動範囲を振り分けることを特徴とする請求項７に記載の振動波リニアモータ。
【請求項９】
前記規制手段の前記押圧力の均衡位置は、前記振動子の移動方向において前記規制手段の略中央の位置であることを特徴とする請求項８に記載の振動波リニアモータ。
【請求項１０】
前記ストッパは、前記２つの振動子それぞれの駆動接触部が１つのみ設けられている側の前記駆動接触部の移動範囲を、前記押圧力の均衡位置を中心にして分割される２つの範囲に振り分けることを特徴とする請求項８に記載の振動波リニアモータ。
【請求項１１】
前記ストッパは、前記振動子の前記１つのみが設けられている側の前記駆動接触部に所定の位置で当接して、前記振動子の移動範囲を規制することを特徴とする請求項１０に記載の振動波リニアモータ。
【請求項１２】
前記規制手段の前記押圧力の均衡位置は、前記振動子の移動方向において前記規制手段の略中央の位置であることを特徴とする請求項１０に記載の振動波リニアモータ。
【請求項１３】
前記２つの振動子間において、同一の前記規制手段に接触する前記駆動接触部同士の最も短い距離よりも、前記１つのみ設けられている側の前記駆動接触部同士の距離のほうが長いことを特徴とする請求項１０に記載の振動波リニアモータ。
【請求項１４】
前記２つの振動子間において、前記１つのみ設けられている側の前記駆動接触部同士は前記振動子の移動方向に関して互いに対称な位置に配置されていることを特徴とする請求項１２に記載の振動波リニアモータ。
【請求項１５】
前記２つの振動子は、片方ずつ駆動されることを特徴とする請求項１に記載の振動波リニアモータ。
【請求項１６】
前記２つの振動子は、交互に駆動されることを特徴とする請求項１に記載の振動波リニアモータ。
【請求項１７】
圧電体部を含んで構成される振動子本体と、該振動子本体の対向する２面のそれぞれに少なくとも１つ設けられた駆動接触部とをそれぞれ有する２つの振動子と、
前記２つの振動子を、前記駆動接触部を介して狭持する２つの規制部材と、
該２つの規制部材の一方を他方に向けて付勢し、前記２つの規制部材と前記駆動接触部との間で押圧力を発生させる押圧手段と、
を備え、
前記振動子本体への電圧印加により発生する振動を前記駆動接触部が駆動力に変換することにより、前記２つの振動子と前記２つの規制部材とが相対的に移動する振動波リニアモータを駆動する方法において、
前記２つの振動子を片方ずつ駆動することを特徴とする振動波リニアモータの駆動方法。
【手続補正２】
【補正対象書類名】明細書
【補正対象項目名】発明の名称
【補正方法】変更
【補正の内容】
【発明の名称】振動波リニアモータ及びその駆動方法
【手続補正３】
【補正対象書類名】明細書
【補正対象項目名】０００７
【補正方法】変更
【補正の内容】
【０００７】
先ず、第１の発明の振動波リニアモータは、圧電体部を含んで構成される振動子本体と、該振動子本体の対向する２面のそれぞれに少なくとも１つ設けられた駆動接触部とをそれぞれ有する２つの振動子と、上記２つの振動子を、上記駆動接触部を介して狭持する２つの規制部材と、該２つの規制部材の一方を他方に向けて付勢し、上記２つの規制部材と上記駆動接触部との間で押圧力を発生させる押圧手段と、を備え、上記振動子本体への電圧印加により発生する振動を上記駆動接触部が駆動力に変換することにより、上記２つの振動子と上記２つの規制部材とが相対的に移動するように構成される。
【手続補正４】
【補正対象書類名】明細書
【補正対象項目名】０００９
【補正方法】変更
【補正の内容】
【０００９】
また、この振動波リニアモータは、例えば上記一方の規制部材を固定して保持すると共に、上記他方の規制部材を上記押圧手段により押圧される方向に移動可能に保持する保持部材をさらに有して構成される。
この場合、上記振動子の上記３つの駆動接触部のうち１つのみが設けられている側の駆動接触部は、上記２つの振動子ともに、例えば上記２つの規制部材のうちの上記保持部材に固定して保持されている上記規制手段に接触するように構成され、また、例えば上記２つの規制部材のうちの上記保持部材により上記押圧方向に移動可能に保持されている規制手段に接触するように構成される。
【手続補正５】
【補正対象書類名】明細書
【補正対象項目名】００１０
【補正方法】変更
【補正の内容】
【００１０】
また、この振動波リニアモータは、例えば少なくとも１つの上記振動子の移動範囲を制限するストッパを有して構成される。このストッパは、例えば上記保持部材により上記押圧方向に移動可能に保持されている規制手段の押圧力の均衡位置を中心にして分割される２つの範囲に上記２つの振動子の移動範囲を振り分けるように構成される。
【手続補正６】
【補正対象書類名】明細書
【補正対象項目名】００１１
【補正方法】変更
【補正の内容】
【００１１】
尚、上記規制手段の上記押圧力の均衡位置は、上記振動子の移動方向において上記規制手段の略中央の位置である。
また、上記ストッパは、例えば上記２つの振動子それぞれの駆動接触部が１つのみ設けられている側の上記駆動接触部の移動範囲を、上記押圧力の均衡位置を中心にして分割される２つの範囲に振り分けるように構成され、また、例えば上記振動子の上記１つのみが設けられている側の上記駆動接触部に所定の位置で当接して、上記振動子の移動範囲を規制するように構成される。
【手続補正７】
【補正対象書類名】明細書
【補正対象項目名】００１３
【補正方法】変更
【補正の内容】
【００１３】
また、上述した振動波リニアモータにおいて、上記２つの振動子は、例えば片方ずつ駆動されるように構成され、また、例えば交互に駆動されるように構成される。
次に、第２の発明の振動波リニアモータの駆動方法は、圧電体部を含んで構成される振動子本体と、該振動子本体の対向する２面のそれぞれに少なくとも１つ設けられた駆動接触部とをそれぞれ有する２つの振動子と、上記２つの振動子を、上記駆動接触部を介して狭持する２つの規制部材と、該２つの規制部材の一方を他方に向けて付勢し、上記２つの規制部材と上記駆動接触部との間で押圧力を発生させる押圧手段と、を備え、上記振動子本体への電圧印加により発生する振動を上記駆動接触部が駆動力に変換することにより、上記２つの振動子と上記２つの規制部材とが相対的に移動する振動波リニアモータを駆動する方法において、上記２つの振動子を片方ずつ駆動するように構成される。